(57)【要約】【課題】  外観意匠が筒状で、大きさを様々な長さおよび径に仕上げ可能であり、しかも、製作コストが安価であるケース構造を提供すること。【解決手段】  継ぎ部材２とケース部材３を有するケース構造において、継ぎ部材２は一対の嵌合部２ｂを相対的に有し、ケース部材３は両先端が一側縁部３ａと他側縁部３ｂで形成される略Ｃ形状に曲げ可能な可撓性の平板からなり、継ぎ部材２における一方の嵌合部２ｂにケース部材３の一側縁部３ａを、他方の嵌合部２ｂにケース部材３の他側縁部３ｂを、それぞれ嵌着状に取り付け、継ぎ部材２を接続媒体としてケース部材３が横断面略Ｃ形状の筒状姿態に形成されている。【選択図】  図２
2005242149.tif 000002
【特許請求の範囲】
【請求項１】
継ぎ部材とケース部材を有するケース構造において、前記継ぎ部材は一対の嵌合部を相対的に有し、前記ケース部材は両先端が一側縁部と他側縁部で形成される略Ｃ形状に曲げ可能な可撓性の平板からなり、継ぎ部材における一方の嵌合部にケース部材の一側縁部を、他方の嵌合部にケース部材の他側縁部を、それぞれ嵌着状に取り付け、継ぎ部材を接続媒体としてケース部材が横断面略Ｃ形状の筒状姿態に形成されていることを特徴とするケース構造。
【請求項２】
嵌合部は、嵌合部内におけるケース部材の側縁部を押圧することでケース部材の真円度を調整可能な調整要素を有していることを特徴とする請求項１記載のケース構造。
【発明の詳細な説明】
【技術分野】
【０００１】
本発明は、掲示装置、表示装置、照明装置、ショーケース、これらに類するものに有用なケース構造に関し、さらに詳しくは、外観意匠が筒状で、大きさを長短大小（長さおよび径）に仕上げ可能なケース構造に関係している。
【背景技術】
【０００２】
例えば、先行文献1が有り、円筒状の電光表示装置にて表示内容を表示面にスクロールさせた時、全周に渡って表示内容の良好な読み取りができることが記載されている。
そして、前記した目的を達成する手段として、発光ダイオード等の発光素子をマトリックス状に配して文字、図形等の情報を表示する表示体を円筒状に形成した電光表示装置において、表示面前方に設けられた透視可能な樹脂製覆板を設け、前記覆板の継目と表示情報の開始、終了位置を一致させた構成が記載されている。
ところで、かかる先行文献１のものでは、覆板は、一枚の透視可能なアクリル等の平板状の樹脂を円筒状に加工し、両端部いわゆる継目を接着または溶着することにより形成してあるため、求められる筒の長さ、口径に応じて個々に製作しなければならない。また、コスト的に、継目がないシームレスタイプの円筒状覆板に比べれば安価であるが、平板を円筒状に加工し、さらに、その両端部を接着または溶着する手間を要し、製作コストが大分かかっている。
【先行文献１】
【０００３】
実開平６−６９９９０
【発明の開示】
【発明が解決しようとする課題】
【０００４】
解決しようとする課題は、第１には、外観意匠が筒状で、大きさを様々な長さおよび径に仕上げ可能であり、しかも、製作コストが安価であるケース構造を、第２には、さらに、筒の断面形状あるいは真円度を調整可能であるケース構造を提供することを目的としている。
【課題を解決するための手段】
【０００５】
本発明は前記した課題を達成するため、以下の構成にしたことを特徴とする。
１．継ぎ部材とケース部材を有するケース構造において、前記継ぎ部材は一対の嵌合部を相対的に有し、前記ケース部材は両先端が一側縁部と他側縁部で形成される略Ｃ形状に曲げ可能な可撓性の平板からなり、継ぎ部材における一方の嵌合部にケース部材の一側縁部を、他方の嵌合部にケース部材の他側縁部を、それぞれ嵌着状に取り付け、継ぎ部材を接続媒体としてケース部材が横断面略Ｃ形状の筒状姿態に形成されていることを特徴とする。
本発明における継ぎ部材は、押出成形等により成形される金属製の通し材であり、基本的な断面形状は一対の嵌合部を相対的に有する断面大略工形状等の形状になる。
ケース部材は、ベース材からなる１層構造状の態様のもの、宣伝あるいは広告もしくは掲示用等の各種の表示が施された表示材からなる１層構造状の態様のもの、ベース材と宣伝あるいは広告もしくは掲示用等の各種の表示が施された表示材からなる２層重ね構造状の態様のもの、ベース材と宣伝あるいは広告もしくは掲示用等の各種の表示が施された表示材とカバー材からなる３層重ね構造状の態様のものであり、また、他の多層重ね構造にしてもよく、これらの態様のものに限定されない。このケース部材は、略Ｃ形状に曲げ可能な可撓性の平板であればよく、掲示装置、表示装置、照明装置、ショーケース用に適した透光性、透視性等の材質たとえば適宜の樹脂製のものになる。
かかるケース部材と嵌合部との取り付け関係は、側縁部が嵌合部に圧入されて嵌着状に取り付けられる態様、側縁部が嵌合部に挿入されてビス止めされて嵌着状に取り付けられる態様、側縁部が嵌合部に挿入され、側縁部の凸条係合部が嵌合部内の凹条被係合部に係合されて嵌着状に取り付けられる態様があり、いずれにしても、ケース部材の側縁部が嵌合部内に嵌着状に取り付けられる関係の態様のものであればよい。また、カバー材側縁部がビスに押されて嵌合部奥側へ移動するようにすることで、カバー材に張りを付与したり、この外被材の張りによって、表示材がフィルム等である場合の皺伸ばしに貢献する態様としてもよい。この場合におけるビスの働きは、同時に、カバー材そしてケース部材を抜止して働くことにもなる。
【０００６】
２．前記した１において、嵌合部は、嵌合部内におけるケース部材の側縁部を押圧することでケース部材の真円度を調整可能な調整要素を有していることを特徴とする。
調整要素は、嵌合部を形成している側壁部（外側壁部または内側壁部）に螺合されて、ケース部材の側縁部を押圧可能なビス等の押圧具でもよいし、嵌合部内面とケース部材側縁部との間に挿入されて、ケース部材の側縁部を押圧可能なスペーサーでもよいし、嵌合部内面とケース部材側縁部との間に在って、ビス等の押圧具に押されて揺動させられることによりケース部材の側縁部を押圧可能な押え材であってもよく、ケース部材の側縁部を押圧することでケース部材の真円度を調整可能なものであればよい。この調整要素の配設位置は、外側壁部あるいは内側壁部のいずれでもよく、調整のための操作は前者であれば内側から、後者であれば外側から行なわれることになる。
ビス等の押圧具は、直接あるいは間接的にケース部材側縁部を押圧するに際し、その押圧程度を加減することで、ケース部材の真円度を調整可能であればよい。
スペーサーは、ピース材あるいは通し材のいずれでもよく、適宜の厚さおよび／または長さにすることで、ケース部材の真円度を自在に調整可能である。このスペーサーは嵌合部内面に接着して固定するようにしても良い。
押え材は、ピース材あるいは通し材のいずれでもよく、嵌合部内あるいは嵌合部の開口脇の軸支部を支点にして揺動することでケース部材の側縁部と接触可能であればよい。この押え材におけるケース部材側縁部との接触面にはゴムテープあるいはクッションテープ等の滑り止め材を添設してもよいし、かかる滑り止め材の働きを、嵌合部の側壁部に螺合したビスで兼ねるようにしてもよい。
また、調整要素は、特にビスの場合、同時に、カバー材そしてケース部材を抜止して働くことになる。
【発明の効果】
【０００７】
Ａ．請求項１により、平板の長さおよび／または幅を代えることで、外観意匠が長短大小の大きさの筒状に仕上げることができ。しかも、製作コストが安価で経済的に有利である。
Ｂ．請求項２により、さらに、筒の断面形状たとえば円形状、楕円形状に整えることができ、また、真円度を自在に調整することができ、商品価値が高い。
【発明を実施するための最良の形態】
【０００８】
図１および図２には本発明のケース構造における実施の１形態として、電光掲示装置への採用例を示しており、１は円柱状の電光掲示装置、２は継ぎ部材、３はケース部材、７は天板部、８は底板部、９は発光体で、発光体９の光で筒状のケース部材３が内側から照らし出されるように形成してある
【０００９】
継ぎ部材２は、押出成形された断面大略工形状のアルミニウム製の通し材で、内側に向けて開口している中央の大溝部２ａの左右に嵌合部２ｂを相対させて設け、この左右の嵌合部２ｂを形成している外側壁部２ｃ外面の中間部分には外側に向けて開口した断面略Ｃ字状の第１小溝部２ｄを、外側壁部２ｃ先端には嵌合部２ｂの開口方向に向けて開口した断面略Ｃ字状の第２小溝部２ｅを、それぞれ凹設してある。また、外側壁部２ｃ内面には第１突部２ｆを外面の第１小溝部２ｄと、第２突部２ｇを外面の第２小溝部２ｅと、それぞれ背合せ状に突設し、この嵌合部２ｂ内に突出している第１突部２ｆと嵌合部２ｂ奥面との間の凹部を第１被係合部２ｈとし、第１突部２ｆと第２突部２ｇとの間の凹部を第２被係合部２ｉとして形成してある。さらに、左右の嵌合部２ｂ内の奥面における内側壁部２ｊ側にはテーパー状の案内部２ｋを凹設してある。
【００１０】
かかる鉛直状の継ぎ部材２における左右の嵌合部２ｂには、縦幅が継ぎ部材２長さと同等で且つ横幅が所望の口径を形成可能な幅の平板からなるケース部材３両先端の左側縁部３ａと右側縁部３ｂがそれぞれ挿入され、ケース部材３は略Ｃ形状に曲げられた状態の筒状を呈している。
ケース部材３は、ベース材４と、宣伝あるいは広告もしくは掲示用等の各種の表示が施されたフィルム材５と、カバー材６からなる３層重ね構造で、ベース材４とカバー材６に分離することでフィルム材５を入れ替え可能にしてある。ベース材４は、略Ｃ形状に曲げ可能な可撓性を有する乳白色の樹脂板で、透光性を有し、左側縁部４ａおよび右側縁部４ｂの突状係合部４ｃを第１被係合部２ｈにそれぞれ係合し取り付けられている。カバー部材６は、略Ｃ形状に曲げ可能な可撓性を有する透明の樹脂板で、左側縁部６ａおよび右側縁部６ｂの突状係合部６ｃを第２被係合部２ｉにそれぞれ係合し取り付けられている。
こうして継ぎ部材２に対して筒状に取り付けられたケース部材３は、その真円度を左右の第１小溝部２ｄにそれぞれ螺合したビス１０で調整されている。
【００１１】
ビス１０は、ベース材４の左側縁部４ａおよび右側縁部４ｂをそれぞれ適宜押圧することで、ベース材４の真円度を整えている。
そして、第２小溝部２ｅに螺合されたビス１２は、カバー材６の突状係合部６ｃを押圧し、左側縁部６ａおよび右側縁部６ｂを嵌合部２ｂの奥側へ移動させることで、カバー材６に張りを付与している。また、張られたカバー材６はフィルム材５に圧接することで、フィルム材５の皺伸ばしをしている。
【００１２】
天板部７は、大溝部２ａ、第１小溝部２ｄ、第２小溝部２ｅにそれぞれ螺着されるビス１３で継ぎ部材２上端に取り付けられ、筒状のケース部材３上開口を閉じている。底板部８は、大溝部２ａ、第１小溝部２ｄ、第２小溝部２ｅにそれぞれ螺着されるビス１３で継ぎ部材２下端に取り付けられ、筒状のケース部材３下開口を閉じている。
【００１３】
図３には本発明のケース構造における実施の１形態として、電光掲示装置への採用例の他の例を示しており、構成は前記した図１の態様のものと基本的に同一であるため、共通している構成の説明は符号を準用して省略し、相違する構成について説明する。
継ぎ部材２に対して筒状に取り付けられたケース部材３は、その真円度を左右のスペーサー１１のみで調整されて整えられている。
このスペーサー１１は、内側壁部２ｊとベース材４間に介在してベース材４の真円度を整えている。このスペーサー１１のテーパーがつけられた側縁部１１ａは案内部２ｋに噛合していて、内側壁部２ｊに密接した状態でベース材４を内側から支えることにより真円度を整えている。
【００１４】
図４には本発明のケース構造における実施の１形態として、電光掲示装置への採用例の他の例を示しており、構成は前記した図１の態様のものと基本的に同一であるため、共通している構成の説明は符号を準用して省略し、相違する構成について説明する。
継ぎ部材２に対して筒状に取り付けられたケース部材３は、その真円度を左右のスペーサー１１で調整されて整えられている。
スペーサー１１は、内側壁部２ｊとベース材４間に介在してベース材４の真円度を整えている。このスペーサー１１のテーパーがつけられた側縁部１１ａは案内部２ｋに噛合していて、内側壁部２ｊに密接した状態でベース材４を内側から支えることにより真円度を整えている。
【００１５】
図５には本発明のケース構造における実施の１形態として、電光掲示装置への採用例の他の例を示しており、構成は前記した図１の態様のものと基本的に同一であるため、共通している構成の説明は符号を準用して省略し、相違する構成について説明する。
継ぎ部材１４は、押出成形された断面大略工形状のアルミニウム製の通し材で、内側に向けて開口している中央の大溝部１４ａの左右に嵌合部１４ｂを相対させて設け、この左右の嵌合部１４ｂを形成している外側壁部１４ｃ外面の中間部分には外側に向けて開口した断面略Ｃ字状の小溝部１４ｄを、外側壁部１４ｃ内面の隅部分には嵌合部１４ｂの開口方向に向けて開口した断面略Ｃ字状の軸支部１４ｅを、それぞれ凹設してある。また、左右の嵌合部１４ｂ内の奥面における内側壁部１４ｆ側にはテーパー状の案内部１４ｇを凹設してある。
【００１６】
かかる鉛直状の継ぎ部材１４における左右の嵌合部１４ｂには、縦幅が継ぎ部材１４長さと同等で且つ横幅が所望の口径を形成可能な幅の平板からなるケース部材３両先端の左側縁部３ａと右側縁部３ｂがそれぞれ挿入され、ケース部材３は略Ｃ形状に曲げられた状態の筒状を呈している。
こうして継ぎ部材１４に対して筒状に取り付けられたケース部材３は、その真円度を左右の嵌合部１４ｂ内における軸支部１４ｅにそれぞれ枢着された押え材１５および小溝部１４ｄに螺合されたビス１０さらに嵌合部１４ｂ内のスペーサー１１で調整されている。
【００１７】
左右の押え材１５は、押出成形された断面大略へ形状のアルミニウム製の通し材で、基端の軸部１５ａが軸支部１４ｅに枢着されていることにより、この軸支部１４ｅを支点にして揺動することでケース部材３の左側縁部３ａと右側縁部３ｂにそれぞれ接離可能にしてある。また、押え材１５は中間部分を湾曲部１５ｂとして形成することで、ビス１０による調整時にビス１０先端が湾曲部１５ｂを滑って調整作業し易くしてあると共に、左側縁部３ａおよび右側縁部３ｂをそれぞれ嵌合部１４ｂ奥側に引き込むように働き易くしてある。この働きは、湾曲部１５ｂにおける左右の側縁部３ａ、３ｂとの接触面に滑り止め材１５ｃを添設することで強化されている。
ビス１０は、押え材１５を経てケース部材３の左側縁部３ａおよび側縁部３ｂをそれぞれ適宜押圧することで、ケース部材３の真円度を整えている。スペーサー１１は、内側壁部１４ｆとケース部材３間に介在してケース部材３の真円度を整えている。このスペーサー１１の側縁部１１ａは案内部１４ｇに噛合していて、内側壁部１４ｆに密接した状態でケース部材３を内側から支えることにより真円度を整えている。
【００１８】
前記した実施例は一例を示しているもので、他の実施例たとえばケース部材３を透明性の樹脂板からなる１層構造とすれば、内部にマネキンが納められるショーケース用のケース構造として有用である。
【図面の簡単な説明】
【００１９】
【図１】本発明のケース構造における実施の１形態として、電光掲示装置への採用例を示している斜視図。
【図２】（ａ）は横断面図、（ｂ）は部分拡大横断面図。
【図３】本発明のケース構造における実施の１形態として、電光掲示装置への他の採用例を示し、（ａ）は横断面図、（ｂ）は部分拡大横断面図。
【図４】本発明のケース構造における実施の１形態として、電光掲示装置への他の採用例を示し、（ａ）は横断面図、（ｂ）は部分拡大横断面図。
【図５】本発明のケース構造における実施の１形態として、電光掲示装置への他の採用例を示し、（ａ）は横断面図、（ｂ）は部分拡大横断面図。
【符号の説明】
【００２０】
１  電光掲示装置
２、１４  継ぎ部材
２ａ、１４ａ  大溝部
２ｂ、１４ｂ  嵌合部
２ｃ、１４ｃ  外側壁部
２ｄ  第１小溝部
２ｅ  第２小溝部
２ｆ  第１突部
２ｇ  第２突部
２ｈ  第１被係合部
２ｉ  第２被係合部
２ｊ、１４ｆ  内側壁部
２ｋ、１４ｇ  案内部
３  ケース部材
３ａ、４ａ、６ａ  左側縁部（一側縁部）
３ｂ、４ｂ、６ｂ  右側縁部（他側縁部）
４  ベース材
４ｃ、６ｃ  突状係合部
５  フィルム材
６  カバー材
７  天板部
８  底板部
９  発光体
１０、１２、１３  ビス
１１  スペーサー
１１ａ  側縁部
１４ｄ  小溝部
１４ｅ  軸支部
１５  押え材
１５ａ  軸部
１５ｂ  湾曲部
１５ｃ  滑り止め材
【図１】
2005242149.tif 000003
【図２】
2005242149.tif 000004
【図３】
2005242149.tif 000005
【図４】
2005242149.tif 000006
【図５】
2005242149.tif 000007